(57)【要約】【課題】構成がコンパクトでありながらもＮＨ３　やＳＯ３　塩ミストといった干渉成分を確実に除去することができる排ガス測定用一次フィルタを提供すること。【解決手段】ケース６内にフィルタエレメント９が設けられ、サンプルガスＳ中に含まれるダストを除去するように構成されたガス測定用一次フィルタ５において、前記フィルタエレメント９の内部に、測定対象成分の測定を妨害する干渉成分を除去するためのスクラバーカラム１０を配置した。【選択図】　　　図１
2004037268.tif 000002
【特許請求の範囲】
【請求項１】
ケース内にフィルタエレメントが設けられ、サンプルガス中に含まれるダストを除去するように構成された排ガス測定用一次フィルタにおいて、前記フィルタエレメントの内部に、測定対象成分の測定を妨害する干渉成分を除去するためのスクラバーカラムを配置したことを特徴とする排ガス測定用一次フィルタ。
【請求項２】
サンプルガスがスクラバーカラムを通過した後、フィルタエレメントを通過するように構成してある請求項１に記載の排ガス測定用一次フィルタ。
【請求項３】
サンプルガスがフィルタエレメントを通過した後、スクラバーカラムを通過するように構成してある請求項１に記載の排ガス測定用一次フィルタ。
【請求項４】
ケースに加熱用ヒータを設けてなる請求項１〜３のいずれかに記載の排ガス測定用一次フィルタ。
【発明の詳細な説明】
【０００１】
【発明の属する技術分野】この発明は、例えば、ボイラーなどから排出される燃焼排ガスの一部をサンプルガスとしてガス分析装置に供給する際に用いられる排ガス測定用一次フィルタに関する。
【０００２】
【従来の技術】
例えば、石炭を燃焼させるボイラーから煙道に排出される燃焼排ガス（以下、単に排ガスという）中のＳＯ２　を連続的に分析する場合、前記排ガスの一部をサンプリングし、これをサンプルガスとしてＳＯ２　分析装置に連続的に供給する必要がある。この場合、前記排ガス中には、粉塵や煤塵などのダストが混入しているとともに、ＳＯ２　の測定を妨害する干渉成分として、ＮＨ３　やＳＯ３　塩ミスト（ＳＯ３　と金属とのミスト状反応生成物）などが混入している。前記ダストは、ＳＯ２　分析装置のメンテナンス周期を短くするといった不都合があるし、また、ＮＨ３　やＳＯ３　塩ミストはＳＯ２　の分析結果に悪影響を及ぼす。
【０００３】そこで、従来においては、図４に示すようなガスサンプリング装置を用いて、上記ダストやＮＨ３　等を可及的に除去しようとしていた。すなわち、この図において、３１は煙道で、矢印で示すように排ガスＧが流れている。３２はこの煙道３１に挿入配置されるガス採取部としてのガスサンプリング用のプローブ管で、このプローブ管３２の後段のサンプルガス供給路３３に、ケース３４ａ内にフィルタエレメント３４ｂを収容してなる排ガス測定用一次フィルタ（以下、一次フィルタという）３４と、ケース３５ａ内にＮＨ３　等の干渉成分を除去するためのスクラバーカラム３５ｂを収容し、適宜の温度に加熱されたスクラバーユニット３５を設けるとともに、これらの一次フィルタ３４とスクラバーユニット３５との間を加熱配管３６で接続し、スクラバーユニット３５の下流側出口を加熱配管３７を介してＳＯ２　分析装置３８に接続していた。
【０００４】上記構成のガスサンプリング装置においては、煙道３１を流れる排ガスＧの一部は、プローブ管３２によってサンプリングされてサンプルガスとなってサンプルガス供給路３３に入り、その上流側に設けられている一次フィルタ３４内を通過する際、ダストが除去され、さらに、加熱配管３６を経てスクラバーユニット３５に入り、これを通過する際にＮＨ３　およびＳＯ３　塩ミストといった干渉成分が除去される。そして、ダストおよび干渉成分が除去されたサンプルガスは、加熱配管３８を経てＳＯ２　分析装置３８に導入され、ＳＯ２　の分析に供される。
【０００５】
【発明が解決しようとする課題】しかしながら、上記従来のガスサンプリング装置においては、一次フィルタ３４とスクラバーユニット３５とを互いに独立して設け、それらの間を加熱配管３６で接続しているため、これらを設置するために大きなスペースが必要になり、それだけガスサンプリング装置が大型化せざるを得ないといった不都合があった。
【０００６】さらに、上述のように、一次フィルタ３４とスクラバーユニット３５とを互いに独立して設けた場合、次のような不都合もあった。すなわち、干渉成分のうちのＮＨ３　は、前記一次フィルタ３４とスクラバーユニット３５との間を接続する加熱配管３６における加熱保温状態が冬季などにおいて不十分であった場合、当該加熱配管３６の内部を流れるサンプルガス中の水分が露結してドレンとなり、これがスクラバーユニット３５に流入し、溶解ＳＯ２　の再気化によって、ＳＯ２　の分析指示値に異常が生ずることなる。
【０００７】また、干渉成分としてのＳＯ３　塩ミストがサンプルガスに含まれていると、前記ＳＯ３　塩ミストは、まず、一次フィルタ３４において捕捉され、水分乾燥が起こり、ＳＯ３　塩ミストが分解してＳＯ２　ガスが発生することとなる。この一次フィルタ３４に捕捉されたＳＯ３　塩ミストの分解反応はきわめて不安定で、長期に亘って多量に蓄積された場合には、実際のＳＯ２　の値の数倍の分析指示値が生ずることがある。
【０００８】上述のように、従来構成のガスサンプリング装置においても、ＳＯ２　分析におけるＮＨ３　やＳＯ３　塩ミストといった干渉成分による測定値への悪影響を完全に抑制することができなかったのである。なお、このような不都合は、ＳＯ２　分析に限られるものではなく、ＮＨ３　やＳＯ３　塩ミストが干渉成分として作用するＮＯＸ　やＯ２　などの分析においても同様に生じているところである。
【０００９】この発明は、上述の事柄に留意してなされたもので、その目的は、構成がコンパクトでありながらもＮＨ３　やＳＯ３　塩ミストといった干渉成分を確実に除去することができる一次フィルタを提供することである。
【００１０】
【課題を解決するための手段】上記目的を達成するため、この発明では、ケース内にフィルタエレメントが設けられ、サンプルガス中に含まれるダストを除去するように構成された一次フィルタにおいて、前記フィルタエレメントの内部に、測定対象成分の測定を妨害する干渉成分を除去するためのスクラバーカラムを配置したことを特徴としている（請求項１）。
【００１１】上記構成の一次フィルタにおいては、フィルタエレメントの内部にスクラバーカラムを配置しているので、フィルタエレメントとスクラバーカラムとを同一のケース内にコンパクトに収納することができ、スクラバーカラムを収容するためのケースが不要になる。そして、上記構成によれば、一次フィルタの内部で、サンプルガス中に含まれるダストおよび測定対象成分の測定を妨害する干渉成分をほとんど時間を経過することなく除去することができる。
【００１２】そして、上記請求項１に記載の一次フィルタにおいて、請求項２に記載されているように、サンプルガスがスクラバーカラムを経た後、フィルタエレメントを通過するように構成した場合には、サンプルガス中の干渉成分であるＮＨ３　やＳＯ３　塩ミストは、スクラバーカラムの高濃度りん酸と反応してりん酸アンモニウムや弱酸塩といった反応生成物を生じ、これらの反応生成物は、サンプルガスがフィルタエレメントを通過する際、これに捕捉される。つまり、サンプルガス中のＮＨ３　やＳＯ３　塩ミストは、スクラバーカラムにおいてサンプルガスから反応生成物として析出する。したがって、フィルタエレメントにおいて，前記サンプルガス中に含まれるダストと前記反応生成物が同時に捕捉される。その結果、前記段落０００６や０００７において述べたような不都合が生ずることはない。
【００１３】また、上記請求項１に記載の一次フィルタにおいて、請求項３に記載されているように、サンプルガスがフィルタエレメントを通過した後、スクラバーカラムを通過するように構成してもよい。この構成によれば、上記請求項２に記載された構成による効果に加えて、以下のような効果が得られる。すなわち、サンプルガスが先にフィルタエレメントを通過することにより、サンプルガス中のダストを除去することができ、スクラバーカラムにはダストを除去したサンプルガスが導入されるので、スクラバー材料にダストが付着するなどして、ＮＨ３　やＳＯ３　塩ミストの捕捉効率の低下を招来することが効果的に防止される。つまり、この構成は、サンプルガス中に比較的多くのダストが含まれている場合に特に有効である。
【００１４】さらに、上記各一次フィルタにおいて、請求項４に記載されているように、ケースに加熱用ヒータを設けた場合には、サンプルガスを所定の温度に加熱保温することができ、サンプルガス中の水分が露結してドレンとなるといったことがなくなり、このドレンによって引き起こされる不都合を完全に除去することができる。さらに、加熱用ヒータを設けることにより、スクラバーカラムが所定の温度に加熱保温されるので、前記ＮＨ３　やＳＯ３　塩ミストとの反応が確実に行われ、これらの干渉成分を確実に除去することができる。
【００１５】
【発明の実施の形態】以下、この発明の詳細を、図を参照しながら説明する。図１は、この発明の一つの実施の形態を示すもので、排ガス中のＳＯ２　分析を行う際に用いる一次フィルタおよびそれを用いたガスサンプリング装置の構成の一例を概略的に示している。すなわち、図１において、１は例えばボイラの煙道で、その側壁１ａには、ガスサンプリング装置２がフランジ３を介して着脱自在に取り付けられている。このガスサンプリング装置２は、ガス採取部としてのガスサンプリング用のプローブ管４とこれの下流側に一体的に連設される一次フィルタ５とからなる。
【００１６】そして、プローブ管４は、耐腐食性素材よりなり、煙道１内を流れる排ガスＧをサンプルガスＳとして良好に取り込むことができるように構成されている。
【００１７】また、一次フィルタ５は、次のように構成されている。すなわち、６は例えば円筒状のケースで、耐腐食性素材よりなり、その一端側（上流側）がプローブ管４の下流側と連通接続されたガス導入部６ａに形成され、他端側（下流側）の開口がベース部材７で気密に封止されているとともに、下流側の側壁には、ガス導出部６ｂが形勢されている。８はベース部材７の外側に設けられる取っ手である。そして、このケース６の内部に、フィルタエレメント９とスクラバーカラム１０が、フィルタエレメント９の内部にスクラバーカラム１０が同心円上に位置しするように設けられている。
【００１８】より詳しくは、フィルタエレメント９は、耐腐食性素材よりなり、除去したいダストや生成物を確実に除去することのできる適宜の目合いを有する網状体を例えばケース６の内径よりのやや小さい外径を有する円筒状に形成してなるもので、その長さ方向の上流側の端部を、ケース６内の上流側に設けられるシールパッキン１１の下流側表面に密着させ、下流側の端部をベース部材７によって固定されることにより、プローブ管４と同心円上に位置するように、水平またはほぼ水平に保持されている。なお、シールパッキン１１の中央には、スクラバーカラム１０の筒体１２（後述する）の内径よりやや小さい孔１１ａが開設されている。
【００１９】また、スクラバーカラム１０は、耐腐食性素材よりなり、フィルタエレメント９の内径よりのやや小さい外径およびシールパッキン１１の貫通孔１１ａよりやや大きい内径を有する円筒状の筒体１２の内部にスクラバー物質１３を充填し、筒体１２の両端部に網状の押さえ部材１４ａ，１４ｂを設けてなるものである。そして、このスクラバーカラム１０は、これをその一端をシールパッキン１１の表面に当接させてフィルタエレメント９内に同心円状に保持したとき、筒体１２の下流側の端部とベース部材７の上流側表面との間に若干の隙間（ガス流通空間）１５が形成されるように、フィルタエレメント９よりやや短く形成されている。
【００２０】そして、スクラバーカラム１０の筒体１２内に充填されるスクラバー物質１３としては、測定対象成分が酸性のＳＯ２　であるので、このＳＯ２　とは反応せず、干渉成分であるＮＨ３　やＳＯ３　塩と反応しやすい不揮発性の酸性物質を用いるのが好ましく、例えば活性炭や多孔質珪石に高濃度のりん酸（Ｈ３　ＰＯ４　）を含浸させたものよりなる。
【００２１】さらに、前記ケース６の外周面には、適宜の加熱用ヒータ１６が設けられており、ケース６内を適宜の温度（例えば１５０℃〜２００℃）に加熱保温できるように構成されている。
【００２２】また、前記ケース６のガス導出部６ｂには、ガス流路１７が接続され、その下流端にはＳＯ２　分析装置１８が設けられている。なお、図示していないが、ガス流路１７の適所またはＳＯ２　分析装置１８の下流側には、吸引ポンプが設けてあり、サンプルガスＳを常に一定量の吸引できるようにしてある。また、ガス流路１７は、適宜の加熱手段によって適宜の温度になるように構成していくのが好ましい。
【００２３】次に、上記図１に示した一次フィルタ５の作動について説明する。今、煙道１を流れる排ガスＧに含まれるダストがそれほど多くないものとする。そして、加熱用ヒータ１６をオンして、所定の温度になるようにしておく。この状態で吸引ポンプを作動させると、煙道１を流れる排ガスＧの一部がプローブ管４によってサンプリングされ、サンプルガスＳとなってプローブ管４内を下流側に進み、一次フィルタ５内に入る。このサンプルガスＳは、まず、一次フィルタ５内のスクラバーカラム１０の上流側の押さえ部材１４ａを経てスクラバーカラム１０内に入り、円筒１２内に充填されているスクラバー物質１３に接触しながら下流側の押さえ部材１４ｂ方向に向かう。
【００２４】そして、上述のように、サンプルガスＳがスクラバー物質１３に接触しながらスクラバーカラム１０内を下流側に進むとき、サンプルガスＳ中の測定対象成分であるＳＯ２　は、スクラバーカラム１０のスクラバー物質（高濃度のＨ３　ＰＯ４　）１３と反応することはないが、サンプルガスＳ中の干渉成分であるＮＨ３　やＳＯ３　塩ミスト（ここで、ＭＳＯ３　と表す）は、前記高濃度のＨ３　ＰＯ４　１３とそれぞれ下記（１），（２）式のように反応する。
ＮＨ３　＋Ｈ３　ＰＯ４　→ＮＨ４　Ｈ２　ＰＯ４　　　　　　　　　　　　　……（１）
ＭＳＯ３　＋Ｈ３　ＰＯ４　→ＭＨＰＯ４　＋ＳＯ２　↑＋Ｈ２　Ｏ　　　　　……（２）
【００２５】上記（１），（２）式に示したように、干渉成分であるＮＨ３　やＳＯ３　塩ミストＭＳＯ３　は、スクラバー物質である高濃度のＨ３　ＰＯ４　とそれぞれ反応して、りん酸アンモニウムや弱酸塩といったダストと同様の粉末状の反応生成物を生じ、これらの反応生成物は、サンプルガスＳとともにスクラバーカラム１０内を下流側に進む。
【００２６】前記サンプルガスＳおよび反応生成物は、スクラバーカラム１０の下流端に至り、下流側の押さえ部材１４ｂを通過し、スクラバーカラム１０とベース部材７の上流側表面との間の隙間１５を通って、フィルタエレメント９を、その内方から外方に通過する。そして、この通過の際、サンプルガスＳ中のダストおよび前記反応生成物がフィルタエレメント９に捕集され、サンプルガスＳからは、ＳＯ２　の測定を妨害する干渉成分およびＳＯ２　分析装置１８に悪影響を与えるダストが除去され、その状態で、サンプルガスＳはガス流路１７を経てＳＯ２　分析装置１８に供給される。
【００２７】上記実施の形態においては、サンプルガスＳがスクラバーカラム１０を経た後、フィルタエレメント９を通過するように構成しているので、サンプルガスＳ中の干渉成分であるＮＨ３　やＳＯ３　塩ミストは、スクラバーカラム１０の高濃度りん酸１３と反応してりん酸アンモニウムや弱酸塩といった反応生成物を生じ、これらの反応生成物は、サンプルガスＳがフィルタエレメント９を通過する際、これに捕捉される。つまり、サンプルガスＳ中のＮＨ３　やＳＯ３　塩ミストは、スクラバーカラム１０においてサンプルガスＳから反応生成物として析出する。したがって、フィルタエレメント９において，前記サンプルガスＳ中に含まれるダストと前記反応生成物が同時に捕捉される。
【００２８】そして、上記実施の形態においては、一つのケース６内にフィルタエレメント９およびスクラバーカラム１０を、フィルタエレメント９の内部にスクラバーカラム１０が同心円状に位置するように収容しているので、従来のこの種のガスサンプリング装置２と異なり、フィルタエレメント９およびスクラバーカラム１０の設置スペースを大幅に低減することができるとともに、従来のこの種のガスサンプリング装置２においては、フィルタエレメント９およびスクラバーカラム１０を収容するためのケースが２つ必要であり、それらの間を加熱配管で接続する必要があったが、単一のケース６でよく、それだけ構成部材が少なくなり、全体をコンパクトに構成することができる。また、フィルタエレメント９とスクラバーカラム１０を同時にメンテナンスすることができ、欠測時間が短縮される。
【００２９】また、前記ケース６に加熱用ヒータ１６を設けているので、サンプルガスＳを所定の温度に加熱保温することができ、サンプルガスＳ中の水分が露結してドレンとなるといったことがなくなり、このドレンによってスクラバーカラムの機能が低下するような不都合を回避することができる。そして、加熱用ヒータ１６を設けたことにより、スクラバーカラム１０が所定の温度に加熱保温され、ＮＨ３　やＳＯ３　塩ミストとの反応が確実に行われ、これらの干渉成分を確実に除去することができる。特に、フィルタエレメント９の内部にスクラバーカラム１０が位置するように設けているので、スクラバー物質１３の交換直後におけるスクラバーカラム１０における温度上昇が速やかに行われ、前記交換後に速やかに測定を開始することができる。
【００３０】ところで、上述の実施の形態においては、サンプルガスＳがスクラバーカラム１０を経た後、フィルタエレメント９を通過するように構成していたが、これに代えて、サンプルガスＳがフィルタエレメント９を通過した後、スクラバーカラム１０を通過するように構成してあってもよい。以下、このように構成した実施の形態を、図２を参照しながら説明する。なお、この図において、図１に示した符号と同一のものは同一または相当部材である。
【００３１】すなわち、図２においては、ケース６が外径および内径は等しい二つのケース部材６Ａ，６Ｂで構成する。これらのケース部材６Ａ，６Ｂは、詳細には図示していないが、開口側に形成したフランジ部においてパッキンなどを介してボルト・ナットで分離自在に気密に結合されている。そして、なお、上流側に位置するケース部材６Ａは、ケース部材６Ｂに比べてかなり長くしてあり、かつ、フィルタエレメント９よりも長くしてある。また、下流側に位置するケース部材６Ｂの開口側には、板状の保持部材１９が垂直に設けられ、その中央にスクラバーカラム１０を挿通させる孔１９ａが開設されている。
【００３２】そして、フィルタエレメント９は、その一端側（上流側）にその開口部を閉塞するように山形に傾斜した蓋部材２０を適宜のシール部材２１を介して設ける。また、スクラバーカラム１０は、その筒体１２の一端側（上流側）を、押さえ部材１４ａより外方に延設して、円筒状の取付け部１２ａを形成するとともに、この取付け部１２ａの側面にサンプルガスＳが流通する適宜な大きさの孔１２ｂを設ける。そして、フィルタエレメント９の下流側の開口からスクラバーカラム１０をフィルタエレメント９内に挿入し、このフィルタエレメント９に対してスクラバーカラム１０が同心円状かつ水平状態となるように、前記取付け部１２ａの端部を蓋部材２０の下流側の面に固着する。この場合、スクラバーカラム１０の下流側が、フィルタエレメント９の下流側の開口から若干突出するように、フィルタエレメント９、スクラバーカラム１０および取付け部１２ａの長さを設定しておく。
【００３３】上記のように、フィルタエレメント９内においてスクラバーカラム１０が同心円状となるように、フィルタエレメント９とスクラバーカラム１０とを一体的に結合した状態で、スクラバーカラム１０の下流側部分を、保持部材１９の孔１９ａに挿通させて、前記下流側部分が保持部材１９の下流側（ケース６Ｂ内）に位置し、かつ、フィルタエレメント９がプローブ管４と同心円状となるように、フィルタエレメント９の下流側の端部を保持部材１９の上流側の面に、適宜のシール部材２２を介して保持固定する。この場合、スクラバーカラム１０の下流側の押さえ部材１４ｂとベース部材７との間には、所定の隙間（ガス流通空間）１５Ａが形勢される。なお、保持部材１９の孔１９ａは、スクラバーカラム１０の筒体１２を挿通させるのに必要かつ十分な大きさが好ましく、両者の間に隙間が生じないように気密にしておくのがよい。
【００３４】上記図２に示した一次フィルタ５においては、プローブ管４から一次フィルタ５のケース６のケース部材６Ａ内に入ったサンプルガスＳは、蓋部材２０に衝突してケース部材６Ａの内周壁とフィルタエレメント９との間に空間に入った後、フィルタエレメント９をその外方から内方に通過する。この通過の際、サンプルガスＳ中に含まれているダストはフィルタエレメント９によって捕集される。その後、前記フィルタエレメント９を通過したサンプルガスＳは、スクラバーカラム１０の取付け部１２ａに形成した孔１２ｂを経てスクラバーカラム１０の上流側からスクラバーカラム１０内に導入され、円筒１２内に充填されているスクラバー物質１３に接触しながら下流側の押さえ部材１４ｂ方向に向かう。
【００３５】そして、サンプルガスＳがスクラバー物質１３に接触しながらスクラバーカラム１０内を下流側に進むことにより、上記図１に示した実施の形態と同様に、サンプルガスＳ中の干渉成分であるＮＨ３　やＳＯ３　塩ミストは、スクラバー物質１３と反応して、既に述べたようにしてサンプルガスＳが除去される。
【００３６】そして、スクラバーカラム１０の下流側の押さえ部材１４ｂを通過し、スクラバーカラム１０とベース部材７の上流側表面との間の隙間１５Ａを通り、ガス導出部６ｂに向かう。
【００３７】上記図２に示した実施の形態においては、図１に示した実施の形態の作用効果に加えて、以下のような効果を奏する。すなわち、サンプルガスＳが先にフィルタエレメント９を通過することにより、サンプルガスＳ中のダストを除去することができ、スクラバーカラム１０にはダストを除去したサンプルガスＳが導入されるので、スクラバー材料１３にダストが付着するなどして、ＮＨ３　やＳＯ３　塩ミストの捕捉効率の低下を招来することが効果的に防止される。つまり、この構成は、サンプルガスＳ中に比較的多くのダストが含まれている場合に特に有効である。
【００３８】この発明は、上述の実施の形態に限られるものではなく、種々に変形して実施することができる。例えば、一次フィルタ５は、プローブ管４と一体的である必要はなく、両者を別体とし、適宜の加熱配管で接続するようにしてもよい。
【００３９】また、一次フィルタ５を煙道１内に配置してもよい。このようにすれば、加熱ヒータ１６は必ずしも設ける必要はなく、仮に設けたとしても、加熱ヒータ１６への供給電力は少なくてよい。
【００４０】さらに、この発明の一次フィルタ５を、排ガスＧ中に含まれている酸性物質であるＮＯやＮＯ２　などＮＯＸ　を分析する場合にも用いることができる。このＮＯＸ　を分析する場合、サンプリングされたサンプルガスＳをＮＯＸ　コンバータを通過させ、サンプルガスＳ中に含まれるＮＯ２　をＮＯに変換し、その後、サンプルガスＳをＮＯ分析装置に導入することが行われるが、このようなＮＯＸ　の測定にも、ＮＨ３　やＳＯ３　塩ミストは干渉成分として機能する。そこで、図３に示すように、一次フィルタ５の下流側に接続されるガス流路２３にＮＯＸ　コンバータ２４を設け、その下流側にＮＯ分析装置２５を設けるのである。
【００４１】また、ＮＯＸ　やＯ２　の測定において、サンプルガスＳ中にＮＨ３　やＳＯ３　塩ミストが共存する場合、上記一次フィルタ５の出口においてＳＯ２　とＮＨ３　とのの反応生成物である亜硫酸アンモニウムの結晶生成を効果的に防止することができ、ガス分析装置１８，２５へのガス流路１７，２３における目詰まり防止の対策にも効果的に用いることができる。
【００４２】
【発明の効果】以上説明したように、この発明によれば、構成がコンパクトでありながらもＮＨ３　やＳＯ３　塩ミストといった干渉成分を確実に除去することができる一次フィルタを得ることができる。そして、この一次フィルタを用いたガスサンプリング装置によれば、ＮＨ３　やＳＯ３　塩ミストといった干渉成分やダストが可及的に除去されたサンプルガスをガス分析装置に供給することができ、測定対象成分の分析を高精度に行わせることができるとともに、ガス分析装置におけるメンテンス頻度を低く抑えることができ、ガス分析装置において長期に亘って安定した測定を行わせることができる。
【図面の簡単な説明】
【図１】この発明の一次フィルタおよびそれを用いたガスサンプリング装置の構成の一例を概略的に示す図である。
【図２】前記一次フィルタおよびそれを用いたガスサンプリング装置の構成の他の例を概略的に示す図である。
【図３】前記一次フィルタおよびそれを用いたガスサンプリング装置の構成のさらに他の例を概略的に示す図である。
【図４】従来の一次フィルタおよびそれを用いたガスサンプリング装置の構成を概略的に示す図である。
【符号の説明】
１…煙道、４…ガス採取部（プローブ管）、５…排ガス測定用一次フィルタ（一次フィルタ）、６…ケース、９…フィルタエレメント、１０…スクラバーカラム、１６…加熱用ヒータ、Ｓ…サンプルガス。
【図１】
2004037268.tif 000003
【図２】
2004037268.tif 000004
【図３】
2004037268.tif 000005
【図４】
2004037268.tif 000006